(57)【要約】【目的】ユーザに操作負担を与えることなく地点の非正式名称で地点検索を行うことができる「地点検索装置及び地点検索方法」を提供することである。【構成】制御部６は、入力部１から第１地点名が入力されリスト生成部５により生成される第１リスト内から地点名が選択されず、所定時間内に入力部１から第２地点名が再入力されてリスト生成部５により第２リストが生成され、第２リスト内の地点名が選択操作された場合、第１地点名を選択操作された地点名の非正式名称データとして前記地点情報記憶部４に記憶する。【選択図】図１
2008009469.tif 000002
【特許請求の範囲】
【請求項１】
地点名を入力する入力部と、
地図データを記憶する地図データベースと、
地点の正式名称データと該正式名称データと対応付けされた非正式名称データと、該地点の位置情報とを記憶する地点情報記憶部と、
前記入力部から入力される地点名に完全一致または部分一致する地点名を前記地点情報記憶部に記憶された地点の正式名称データと非正式名称データとから抽出し、正式名称データから抽出された地点名と、非正式名称データに対応付けされた正式名称データの地点名とをリスト化するリスト生成部と、
前記リスト生成部により生成されたリストを表示する表示部と、
前記表示部により表示されるリストから任意の地点名が選択操作された場合、選択された地点とその周辺の地図データを前記表示部に表示する制御部とを備え、
前記制御部は、前記入力部から第１地点名が入力されて前記リスト生成部により生成される第１リスト内から地点名が選択されず、その後所定時間内に前記入力部から第２地点名が入力されて前記リスト生成部により第２リストが生成され、該第２リスト内の地点名が選択操作された場合、前記第１地点名を前記第２リストから選択操作された地点名の非正式名称データとして前記地点情報記憶部に記憶する、
ことを特徴とする地点検索装置。
【請求項２】
前記制御部は、前記第１地点名と前記第２リストから選択操作された地点名との類似度に応じて、前記第１地点名を前記第２リストから選択操作された地点名の非正式名称データとして前記地点情報記憶部に記憶する、
ことを特徴とする請求項１記載の地点検索装置。
【請求項３】
前記入力部は、地点名を音声で入力可能な音声入力部である、
ことを特徴とする請求項１または２記載の地点検索装置。
【請求項４】
地点名を入力する第１ステップと、
前記地点名に完全一致または部分一致する地点名を、地点情報記憶部に記憶された、地点の正式名称データと該正式名称データと対応付けされた非正式名称データとから抽出する第２ステップと、
前記正式名称データから抽出された地点名と、前記非正式名称データに対応付けされた正式名称データの地点名とをリスト化する第３ステップと、
前記リストを表示部に表示する第４ステップと、
前記リストから任意の地点名が選択操作された場合、選択された地点とその周辺の地図データとを前記表示部に表示する第５ステップと、
前記第１ステップで第１地点名が入力されて前記第４ステップで第１リストが表示され、該第１リスト内から地点名が選択されず、その後所定時間内に前記第１ステップで第２地点名が入力されて前記第４ステップで第２リストが表示され、該第２リスト内の地点名が選択操作された場合、前記第１地点名を前記第２リストから選択操作された地点名の非正式名称データとして前記地点情報記憶部に記憶する第６ステップとを有する、
ことを特徴とする地点検索方法。
【請求項５】
前記第６ステップは、前記第１地点名と前記第２リストから選択操作された地点名との類似度に応じて、前記第１地点名を前記第２リストから選択操作された地点名の非正式名称データとして前記地点情報記憶部に記憶する、
ことを特徴とする請求項４記載の地点検索方法。
【発明の詳細な説明】
【技術分野】
【０００１】
本発明は、車載用ナビゲーションシステム等に用いて好適な地点検索装置及び地点検索方法に係わり、特に、施設名称や地名（住所）等を入力することによりその名称に合致する地点を検索することができる地点検索装置及び地点検索方法に関する。
【背景技術】
【０００２】
従来、車載用ナビゲーションシステムでは、ユーザが検索したい地点名（例えば施設名称や地名（住所））を入力することにより、その地点名を含む候補地点のリストが表示され、該リストから所望の１つの地点を選択することにより、その地点の位置情報や周辺地図を表示することができる。検索可能な地点名は、入力した地点名に完全一致または部分一致する地点名に限られている。しかしながら、ユーザが入力する地点名は必ずしも正式名称と一致するとは限らない。例えば、「マクオート」を検索する時に、ユーザが誤ってマクオートの非正式名称（略称）である「マック」と入力した場合、候補地点のリストには「マクオート」が含まれないことになり、「マクオート」の位置情報や周辺地図を表示することができなかった。
【０００３】
このような課題を解決するための従来技術として、地図上のいずれかの地点を指定した後、該地点に関連付けて非正式名称を登録し、地点検索時に該非正式名称を入力すると上記地点の位置情報や周辺地図を表示するナビゲーション装置がある（特許文献１参照）。この従来技術によれば、所望の地点を非正式名称で検索することができる。
【特許文献１】特開２００２−３４０５８１号公報
【発明の開示】
【発明が解決しようとする課題】
【０００４】
しかしながら、従来技術において、非正式名称で地点検索を行えるようにするためには、ユーザ自身が検索したい地点の非正式名称を予めナビゲーション装置に登録しておく必要があり、面倒な操作を伴うものであった。
本発明の目的は、ユーザに特別な操作負担を与えることなく非正式名称で地点検索を行うことができる地点検索装置及び地点検索方法を提供することである。
【課題を解決するための手段】
【０００５】
本発明は、地点名を入力する入力部と、地図データを記憶する地図データベースと、地点の正式名称データと該正式名称データと対応付けされた非正式名称データと、該地点の位置情報とを記憶する地点情報記憶部と、前記入力部から入力される地点名に完全一致または部分一致する地点名を前記地点情報記憶部に記憶された地点の正式名称データと非正式名称データとから抽出し、正式名称データから抽出された地点名と、非正式名称データに対応付けされた正式名称データの地点名とをリスト化するリスト生成部と、前記リスト生成部により生成されたリストを表示する表示部と、前記表示部により表示されるリストから任意の地点名が選択操作された場合、選択された地点とその周辺の地図データを前記表示部に表示する制御部とを備え、
前記制御部は、前記入力部から第１地点名が入力されて前記リスト生成部により生成される第１リスト内から地点名が選択されず、その後所定時間内に前記入力部から第２地点名が入力されて前記リスト生成部により第２リストが生成され、該第２リスト内の地点名が選択操作された場合、前記第１地点名を前記第２リストから選択操作された地点名の非正式名称データとして前記地点情報記憶部に記憶する地点検索装置である。
【０００６】
前記制御部は、前記第１地点名を前記第２リストから選択操作された地点名の非正式名称データとして、前記地点情報記憶部に全て記憶させるようにしても良いが、前記第１地点名と前記第２リストから選択操作された地点名との類似度に応じて、前記第１地点名を前記第２リストから選択操作された地点名の非正式名称データとして前記地点情報記憶部に記憶することも可能である。
【０００７】
前記入力部は、キーボードやタッチパネルであっても良いが、例えば車載用として用いる場合は、地点名を音声で入力可能な音声入力部であることが好ましい。
【０００８】
本発明は、地点名を入力する第１ステップと、前記地点名に完全一致または部分一致する地点名を、地点情報記憶部に記憶された、地点の正式名称データと該正式名称データと対応付けされた非正式名称データとから抽出する第２ステップと、前記正式名称データから抽出された地点名と、前記非正式名称データに対応付けされた正式名称データの地点名とをリスト化する第３ステップと、前記リストを表示部に表示する第４ステップと、前記リストから任意の地点名が選択操作された場合、選択された地点とその周辺の地図データとを前記表示部に表示する第５ステップと、前記第１ステップで第１地点名が入力されて前記第４ステップで第１リストが表示され、該第１リスト内から地点名が選択されず、その後所定時間内に前記第１ステップで第２地点名が入力されて前記第４ステップで第２リストが表示され、該第２リスト内の地点名が選択操作された場合、前記第１地点名を前記第２リストから選択操作された地点名の非正式名称データとして前記地点情報記憶部に記憶する第６ステップとを有する地点検索方法である。
【０００９】
前記第６ステップでは、前記第１地点名を前記第２リストから選択操作された地点名の非正式名称データとして前記地点情報記憶部に全て記憶させるようにしても良いが、前記第１地点名と前記第２リストから選択操作された地点名との類似度に応じて、前記第１地点名を前記第２リストから選択操作された地点名の非正式名称データとして記憶することも可能である。
【発明の効果】
【００１０】
本発明によれば、地点の非正式名称を登録する際に、入力部から第１地点名が入力されてリスト生成部により生成される第１リスト内から地点名が選択されず、その後所定時間内に入力部から第２地点名が入力されてリスト生成部により第２リストが生成され、該第２リスト内の地点名が選択操作された場合、第１地点名を第２リストから選択操作された地点名の非正式名称データとして地点情報記憶部に記憶するように構成したため、ユーザ自身が非正式名称を登録するための特別な操作を行うことなく、非正式名称による地点検索を行うことができる。
【発明を実施するための最良の形態】
【００１１】
（Ａ）地点検索装置の構成
図１は、本発明に係る地点検索装置の構成図、図２は、地点情報記憶部のデータ例を示す図である。
本地点検索装置は、図１に示すように入力部１と、地図データベース２と、地点名保持部３と、地点情報記憶部４と、リスト生成部５と、制御部６と、表示部７とから主に構成されている。また、本実施の形態における地点検索装置は車載用ナビゲーションシステムに搭載されたものである。
入力部１は、施設名称や地名（住所）等の地点名を入力したり、表示部７に表示されるメニューやリストから所望の項目を選択したりすることができる。なお、入力部１は、キースイッチや表示部７の画面上に設けられたタッチパネル等による入力部であっても良いが、車載用ナビゲーションシステムに用いる場合、運転中の入力が容易な音声入力部であることが好ましい。地図データベース２には、道路のリンク情報や施設の位置情報、道路やアイコン（ランドマーク）等を描画するための画像データ、施設名称や地名を表示するための文字データ等を含む地図データが予め記憶されている。このような地図データの記憶媒体としては、ＤＶＤ−ＲＯＭやハードディスクを用いることができる。また、これらの記憶媒体からデータを読み出すための図示しないＤＶＤプレーヤ等も備えられている。地点名保持部３は、入力部１から入力された地点名を一時的に保持するメモリーである。
【００１２】
図２に示すように、地点情報記憶部４は、地点（施設や地名等）の正式名称データと該正式名称データと対応付けされた非正式名称データと、該地点の位置情報とを記憶している。なお、地点の位置情報として、図２に示す例では経緯度情報を記憶しているが、地点の住所であってもよい。
リスト生成部５は、入力部１からある地点名が入力されたときに、この地点名に完全一致または部分一致する地点名を地点情報記憶部４に記憶された地点の正式名称データと非正式名称データとから抽出し、正式名称データから抽出された地点名と、非正式名称データに対応付けされた正式名称データの地点名とを併せてリスト化する。このリストは、制御部６により読み出されて表示部７に表示される。更に、制御部６は、表示部７に表示されたリストから、入力部１または別の選択操作部を介して任意の地点名が選択操作された場合、選択された地点とその周辺の地図データを地図データベース２から読み出して表示部７に表示する。
【００１３】
また、制御部６は、入力部１から第１地点名が入力されてリスト生成部５により第１リストが生成され、この第１リストが表示部７に表示された後、この第１リスト内から任意の地点名が選択されたか否かを監視する。そして、第１リスト内から地点名が選択されず、その後所定時間（例えば１０秒）内に入力部１から上記第１地点名とは別の第２地点名が再入力されてリスト生成部５により第２リストが生成され、この第２リスト内の１つの地点名が選択操作された場合、先に入力された第１地点名を第２リスト内から選択操作された地点名（正式名称データ）の非正式名称データとして地点情報記憶部４に記憶させる。
【００１４】
（B）地点検索装置の地点検索処理
図３は、地点検索装置の地点検索処理を示すフローチャートであり、地点情報記憶部４には、図４に示すように非正式名称データは記憶されていないものとする。また、本実施例では「マック」という地点名を検索して「マクオート」の周辺地図を表示する場合について説明する。
まず、ユーザが入力部１より検索したい地点名（第１地点名）「マック」を音声または文字で入力すると、この地点名データ「マック」は制御部６に入力される（ステップS１）。そして、制御部６は、この地点名データ「マック」をリスト生成部５に入力すると共に、該地点名に完全一致または部分一致する地点名を地点情報記憶部４に記憶された地点の正式名称データと非正式名称データとから抽出し、正式名称データから抽出された地点名と、非正式名称データに対応付けされた正式名称データの地点名とをリスト化するようにリスト生成部５に指示する。この指示により、まず、リスト生成部５は、入力された地点名に完全一致または部分一致する地点名を地点情報記憶部４に記憶された地点の正式名称データと非正式名称データ（図４）とから抽出する（ステップS２）。次に、リスト生成部５は、正式名称データから抽出された地点名と、非正式名称データに対応付けされた正式名称データの地点名とをリスト化する（ステップS３）。その後、制御部６は、リスト生成部５からこのリストを読み出して表示部７に表示する（ステップS４）。上記処理により、リスト生成部５は、地点の正式名称データと非正式名称データから「マック」に完全一致または部分一致する地点名のリスト（第１リスト）１１を生成し、制御部６は、このリスト１１を表示部７に表示する（図５）。なお、「マック」と完全一致または部分一致する地点名が多数存在する場合には、スクロールキー１２を操作することにより他の地点名を表示できる。
【００１５】
次に、制御部６は、ユーザにより表示部７に表示されたリスト１１内から１つの地点名が選択操作されたか否かを判定する（ステップS５）。ステップS５において、制御部６によりリスト１１内から地点名が選択操作されたと判定された場合、制御部６は、地点情報記憶部４に記憶された該地点の位置情報を参照して、地図データベース２からこの位置情報周辺の地図画像と該地点のアイコン等を読み出して表示部７に表示する（ステップS６）。一方、ステップS５において、制御部６によりリスト１１内から地点名が選択操作されていないと判定された場合、制御部６は、ステップS１において入力された地点名すなわち「マック」を地点名保持部３に保持する（ステップS７）。その後、制御部６は、ユーザが入力部１より別の地点名（第２地点名）を再入力したかを所定時間監視し、所定時間内に地点名が再入力されたか否かを判定する（ステップS８）。ステップS８において、制御部６により所定時間内に地点名が再入力されていないと判定されれば、地点検索処理を終了する。一方、ステップS８において、制御部６により所定時間内に地点名、例えば「マクオート」が再入力されたと判定されれば、制御部６は、再入力された地点名データ「マクオート」をリスト生成部５に入力すると共に、該地点名に完全一致または部分一致する地点名を地点情報記憶部４に記憶された地点の正式名称データと非正式名称データとから抽出し、正式名称データから抽出された地点名と、非正式名称データに対応付けされた正式名称データの地点名とをリスト化するようにリスト生成部５に指示する。この指示により、まず、リスト生成部５は、再入力された地点名「マクオート」に完全一致または部分一致する地点名を地点情報記憶部４に記憶された地点の正式名称データと非正式名称データとから抽出する（ステップS９）。次に、リスト生成部５は、正式名称データから抽出された地点名と、非正式名称データに対応付けされた正式名称データの地点名とをリスト化する（ステップS１０）。その後、制御部６は、リスト生成部５からこのリストを読み出して表示部７に表示する（ステップS１１）。上記処理により、リスト生成部５は、地点の正式名称データと非正式名称データから「マクオート」に完全一致または部分一致する地点名のリスト（第２リスト）１３を生成し、制御部６は、このリスト１３を表示部７に表示する（図６）。
【００１６】
次に、制御部６は、ユーザにより表示部７に表示されたリスト１３内から１つの地点名が選択操作されたか否かを判定する（ステップS１２）。ステップS５において、制御部６によりリスト１３内から地点名が選択操作されていないと判定された場合、上記ステップS８〜S１１の処理を繰り返し行う。一方、ステップS１２において、制御部６によりリスト１３内から１つの地点名が選択操作されたと判定された場合、制御部６は、地点情報記憶部４に記憶された該地点の位置情報を参照して、地図データベース２からこの位置情報周辺の地図画像と該地点のアイコン等を読み出して表示部７に表示する（ステップS１３）。更に、制御部６は、地点名保持部３に保持された地点名（第１地点名）をステップS１２において選択操作された地点名の非正式名称データとして地点情報記憶部４に記憶する（ステップS１４）。
つまり、ステップS１２において、ユーザがリスト（第２リスト）１３内から地点名「マクオート」を選択操作した場合、制御部６は、地点情報記憶部４に記憶された「マクオート」の位置情報（X2，Y2）を参照して、地図データベース２からこの位置情報周辺の地図画像と該地点のアイコン等を読み出して表示部７に表示する。更に、制御部６は、地点名保持部３に保持された地点名（第１地点名）「マック」をステップS１２において選択操作された地点名「マクオート」の非正式名称データとして地点情報記憶部４に記憶する（ステップS１４）。これにより、図２に示すようなデータが地点情報記憶部４に記憶される。なお、次回（２回目）以降、ユーザにより、ステップS１４において非正式名称データとして記憶された地点名「マック」を入力される（図３のステップＳ１）と、図７に示すような地点名リストが表示部７に表示される（図３のステップＳ４）ため、「マクオート」を選択操作することにより、マクオート周辺の地図画像を表示することができる。
その後、ユーザが表示部７に表示された地図画像やアイコン等から目的地を設定すると、車載用ナビゲーションシステムが現在位置から目的地までの経路を探索し、ユーザに対して誘導案内を行うようになっている。
上述したように、本実施例によれば、ユーザ自身により非正式名称を登録する特別な操作を行うことなく、非正式名称による地点検索を行うことができる。
【００１７】
上記実施例では、制御部６は、入力部１から第1地点名「マック」が入力された後に、リスト１１内から地点名が選択されず、所定時間内に入力部１から第２地点名「マクオート」が再入力されてリスト１３から１つの地点名が選択操作された時、第１地点名「マック」を第2地点名「マクオート」の非正式名称データとして地点情報記憶部４に記憶するように制御した。
しかし、入力部１から第1地点名が入力された後に、第１リストから地点名が選択されず、所定時間内に入力部１から第２地点名が再入力されて第２リストから１つの地点名が選択操作された時に、第１地点名と第２リストから選択された地点名の文字列を比較して類似度が高い場合にのみ、第１地点名を第2リストから選択された地点名の非正式名称データとして地点情報記憶部４に記憶するように制御することもできる。ここで、上記類似度が高いか否かの判定は、例えば第１地点名の文字列中の所定割合（例えば５０％）以上の文字が、第２リストから選択された地点名（正式名称データ）の文字列に含まれているか否かを制御部６が判断することで達成できる。
このように、第１地点名と第２リストから選択された地点名との文字列を比較して類似度が高い場合にのみ、第１地点名を第2リストから選択された地点名の非正式名称データとして地点情報記憶部４に記憶することで、正式名称データと関連性の少ない地点名が該正式名称データに対応付けされた非正式名称データとして記憶される可能性が小さくなる。
【００１８】
また、図示しないが地点情報記憶部４には１つの正式名称に対して複数の非正式名称を記憶することもできる。
【００１９】
その他、本発明は車載用ナビゲーションシステムに限らず、携帯電話やパーソナルコンピュータ等に搭載される地点検索装置としても利用可能であり、特許請求の範囲に記載された本発明の要旨の範囲内において、種々の変形・変更が可能である。
【図面の簡単な説明】
【００２０】
【図１】本発明に係る地点検索装置の構成図である。
【図２】地点情報記憶部のデータ例を示す図である。
【図３】地点検索装置の地点検索処理を示すフローチャートである。
【図４】非正式名称データが記憶されていない時の地点情報記憶部のデータ例を示す図である。
【図５】地点名リストの表示画面を示す図である。
【図６】地点名リストの表示画面を示す図である。
【図７】地点名リストの表示画面を示す図である。
【符号の説明】
【００２１】
１…入力部
２…地図データベース
３…地点保持部
４…地点情報記憶部
５…リスト生成部
６…制御部
７…表示部
【図１】
2008009469.tif 000003
【図２】
2008009469.tif 000004
【図３】
2008009469.tif 000005
【図４】
2008009469.tif 000006
【図５】
2008009469.tif 000007
【図６】
2008009469.tif 000008
【図７】
2008009469.tif 000009